(57)【要約】【課題】レースウェイへの取り付けが簡単に行え、かつ照明装置に埃が堆積して不具合が生じることを抑制することができる、照明器具及び取付部材を提供する。【解決手段】照明器具１は、照明装置３と、レースウェイ２の下側に照明装置３を取り付ける取付部材４と、を備える。照明装置３は、設置板３０と、設置板３０の下側に位置する光源部３１と、設置板３０の上側に位置し、光源部３１に電力を供給する電源装置３２と、を有する。取付部材４は、レースウェイ２に上側から被せて取り付ける取付部４０と、照明装置３を引っ掛けて取り付ける受け部４１と、電源装置３２を覆う覆い部４２とを有する。【選択図】図２
2019133776.tif 000002
【特許請求の範囲】
【請求項１】
照明装置と、
レースウェイの下側に前記照明装置を取り付ける取付部材と、を備え、
前記照明装置は、設置板と、前記設置板の下側に位置する光源部と、前記設置板の上側に位置し、前記光源部に電力を供給する電源装置と、を有し、
前記取付部材は、前記レースウェイに上側から被せて取り付ける取付部と、前記照明装置を引っ掛けて取り付ける受け部と、前記電源装置を覆う覆い部とを有する、
照明器具。
【請求項２】
前記取付部は、前記レースウェイに上側から被さる天板と、前記レースウェイの幅方向の両側に位置する一対の上部側板とを有し、
前記覆い部は、前記一対の上部側板から前記レースウェイの幅方向の両側に突出している、
請求項１に記載の照明器具。
【請求項３】
前記照明装置は、前記レースウェイの長さ方向に長尺であり、
前記取付部と前記覆い部は、前記照明装置を全長にわたって覆う、
請求項１または２に記載の照明器具。
【請求項４】
前記設置板は、上側に突出する一対の側壁を有し、
前記一対の側壁の間に、前記電源装置が位置し、
前記一対の側壁は、前記覆い部によって覆われる、
請求項１〜３のいずれか一項に記載の照明器具。
【請求項５】
前記レースウェイ内の電線と前記電源装置とが接続される端子台をさらに備え、
前記端子台は、前記レースウェイの幅方向において、前記レースウェイよりも外側に位置し、かつ前記覆い部によって覆われるように、前記取付部材に取り付けられている、
請求項１〜４のいずれか一項に記載の照明器具。
【請求項６】
前記受け部は、前記取付部よりも下側に位置する、
請求項１〜５のいずれか一項に記載の照明器具。
【請求項７】
レースウェイの下側に照明装置を取り付ける取付部材であって、
前記レースウェイに上側から被せて取り付ける取付部と、前記照明装置を引っ掛けて取り付ける受け部と、前記照明装置を覆う覆い部とを、有する、
取付部材。
【発明の詳細な説明】
【技術分野】
【０００１】
本発明は、照明器具及び取付部材に関し、より詳細には、レースウェイに取り付けられる、照明器具及び取付部材に関する。
【背景技術】
【０００２】
従来、倉庫や工場等の建物の天井空間に配されたレースウェイに、長尺な照明装置を取り付ける取付装置が知られている（例えば特許文献１参照）。
【０００３】
特許文献１に記載の取付装置は、レースウェイに対して上側から被さった状態でボルトとナットでレースウェイに固定される。照明装置は、レースウェイに固定された取付装置に対してボルトとナットで固定することによって、レースウェイの下側に取り付けられる。
【先行技術文献】
【特許文献】
【０００４】
【特許文献１】特開２００７−２８７４２１号公報
【発明の概要】
【発明が解決しようとする課題】
【０００５】
ところで、特許文献１に記載の取付装置では、照明装置をボルトとナットで固定するため、施工に手間がかかるといった問題や、振動等でボルトとナットが緩み、がたつきが生じやすいといった問題がある。
【０００６】
上記事情に鑑みて、本発明は、レースウェイへの取り付けが簡単に行え、かつ照明装置に埃が堆積して不具合が生じることを抑制することができる、照明器具及び取付部材を提供することを、目的とする。
【課題を解決するための手段】
【０００７】
本発明に係る一態様の照明器具は、照明装置と、レースウェイの下側に前記照明装置を取り付ける取付部材と、を備える。前記照明装置は、設置板と、前記設置板の下側に位置する光源部と、前記設置板の上側に位置し、前記光源部に電力を供給する電源装置と、を有する。前記取付部材は、前記レースウェイに上側から被せて取り付ける取付部と、前記照明装置を引っ掛けて取り付ける受け部と、前記電源装置を覆う覆い部とを有する。
【０００８】
本発明に係る一態様の取付部材は、レースウェイの下側に照明装置を取り付ける取付部材であって、前記レースウェイに上側から被せて取り付ける取付部と、前記照明装置を引っ掛けて取り付ける受け部と、前記照明装置を覆う覆い部とを、有する。
【発明の効果】
【０００９】
本発明は、レースウェイへの取り付けが簡単に行え、かつ照明装置に埃が堆積して不具合が生じることを抑制することができる、照明器具及び取付部材を提供することができる。
【図面の簡単な説明】
【００１０】
【図１】図１は、本発明に係る一実施形態の照明器具をレースウェイに取り付けた状態を示す斜視図である。
【図２】図２は、同上の照明器具を示す正面断面図である。
【図３】図３は、同上の照明器具の取付部材を示す正面図である。
【図４】図４は、同上の照明器具の照明装置を示す正面断面図である。
【図５】図５は、同上の照明装置の要部を示す斜視図である。
【発明を実施するための形態】
【００１１】
（１）概要
図１及び図２に示す一実施形態の照明器具１は、倉庫や工場等の建物の天井空間に配された長尺なレースウェイ２に取り付けられる。
【００１２】
照明器具１は、照明装置３と、レースウェイ２の下側に照明装置３を取り付ける取付部材４と、を備える。
【００１３】
照明装置３は、設置板３０と、設置板３０の下側に位置する光源部３１と、設置板３０の上側に位置し、光源部３１に電力を供給する電源装置３２と、を有する。
【００１４】
取付部材４は、レースウェイ２に上側から被せて取り付ける取付部４０と、照明装置３を引っ掛けて取り付ける受け部４１と、照明装置３（特に電源装置３２）を覆う覆い部４２とを有する。
【００１５】
本明細書では、図１及び図２に示す取付状態を基準として、レースウェイ２の長手方向を前後方向とし、レースウェイ２の幅方向を左右方向として、各構成について説明する。
【００１６】
（２）詳細
以下、照明器具１及びレースウェイ２について、さらに詳しく説明する。照明器具１は、レースウェイ２内の電線（詳しくは絶縁電線）と電源装置３２とが接続される端子台５をさらに備える。
【００１７】
（２−１）レースウェイ
レースウェイ２は、レースウェイ２の外部の電源に接続された電線が通される配線ダクトである。レースウェイ２は、天井等に固定された複数の吊り下げ部材によって、長さ方向の一部が支持され、これにより、天井から下側に離れた位置に配置される。レースウェイ２は、本実施形態では、下面が開口したＣ型鋼である。
【００１８】
レースウェイ２の下面には、開口を塞ぐカバー（図示せず）が取り付けられる。カバーは、レースウェイ２の下面のうち、照明装置３が取り付けられる箇所を除いた残りの部分に取り付けられる。
【００１９】
（２−２）取付部材
取付部材４は、図１に示すように、前後方向（レースウェイ２の長さ方向）に長尺である。取付部材４の前後方向の長さは、照明装置３の前後方向の長さと略同じである。取付部４０と覆い部４２は、例えば金属製であり、１枚の鋼板を折り曲げ加工等することによって形成される。
【００２０】
図２及び図３に示すように、取付部４０は、レースウェイ２に上側から被さる天板４３と、レースウェイ２の幅方向の両側に位置する一対の上部側板４４とを有する。覆い部４２は、一対の上部側板４４からレースウェイの幅方向の両側に突出している。詳しくは、覆い部４２は、一対の中間横板４５と、一対の下部側板４６と、一対の折り返し板４７とを有する。天板４３と、一対の上部側板４４と、一対の中間横板４５と、一対の下部側板４６と、一対の折り返し板４７のそれぞれは、前後方向に長尺な矩形状であり、前後方向の長さが互いに同じである（図１参照）。
【００２１】
天板４３の左右の端部から一対の上部側板４４が下側に延長され、一対の上部側板４４のそれぞれの下端部から一対の中間横板４５が左右方向の外側に延長されている。一対の中間横板４５のそれぞれの左右方向の外側の端部から一対の下部側板４６が下側に延長され、一対の折り返し板４７は、一対の下部側板４６のそれぞれの下端部から延長され、一対の下部側板４６の左右方向の内側に沿うように折り返されている。
【００２２】
一対の上部側板４４は、互いに平行である。一対の上部側板４４間の距離は、レースウェイ２の幅よりも僅かに長い。一対の上部側板４４の上下長さは、レースウェイ２の上下長さと略同じである。一対の下部側板４６は、互いに平行である。一対の下部側板４６間の距離は、照明装置３の幅（左右方向の長さ）と略同じである。
【００２３】
受け部４１は、取付部４０よりも下側に位置する。詳しくは、受け部４１は、右側の中間横板４５の下側に取り付けられたＣ字状の受け材４８と、左側の下部側板４６に貫通するように形成された貫通孔４９とを備える。受け材４８は、右の中間横板４５にねじ等で固定されている。受け材４８は、取付部４０の真下に突出しないように、右側の中間横板４５の下側に収まっている。
【００２４】
図１に示すように、貫通孔４９は、左の下部側板４６のうち、前後方向に距離をおいた２箇所にそれぞれ形成されている。受け材４８は、右の中間横板４５のうち、前後方向に距離をおいた２箇所に取り付けられている。前側の受け材４８と前側の貫通孔４９とは、前後方向にずれて位置し、後側の受け材４８と後側の貫通孔４９は、前後方向にずれて位置している。
【００２５】
（２−３）照明装置
図２、図４及び図５に示すように、照明装置３は、設置板３０、光源部３１、及び電源装置３２の他に、光源カバー３３と、引っ掛け部材３４と、を備える。照明装置３は、前後方向（つまりレースウェイ２の長さ方向）に長尺である（図１参照）。照明装置３は、取付部材４の取付部４０と覆い部４２によって、全長にわたって覆われる。
【００２６】
設置板３０は、前後方向に長尺である。設置板３０は、その左右の端部に、上側に突出する一対の側壁３５を有している。一対の側壁３５のそれぞれは、設置板３０の前後方向の全長にわたっている。一対の側壁３５は、取付部材４の覆い部４２によって全長にわたって覆われる。
【００２７】
設置板３０の下面には、光源部３１が取り付けられている。光源部３１は、本実施形態では、前後方向に長尺な基板３１０と、基板３１０の下面に実装された多数の発光ダイオード３１１とを、含む。多数の発光ダイオード３１１は、前後方向に距離をあけて一列に並んでいる。光源部３１は、電線やピン端子を介して電源装置３２に電気的に接続されている。
【００２８】
設置板３０の上面には、電源装置３２が取り付けられている。電源装置３２は、上側に露出している。電源装置３２は、設置板３０の前後方向の一部に取り付けられ、一対の側壁３５の間に位置する。電源装置３２には、その前面にコネクタ接続部３２０が形成されている。電源装置３２には、光源部３１の点灯・消灯を制御する制御装置（図示せず）が内蔵されている。
【００２９】
光源カバー３３は、光源部３１を覆うように、設置板３０に取り付けられている。光源カバー３３は、設置板３０の下面を前後方向の全長にわたって覆う。光源カバー３３は、拡散性を有する材料から形成され、例えば乳白色のアクリル樹脂等で形成される。光源カバー３３は、前後方向に長尺な半円筒状のカバー本体３３０と、カバー本体３３０の前後の端部を塞ぐ前後一対の端部カバー３３１と、カバー本体３３０の左右の端部から上方に突出した左右一対の取付片３３２とを有する。
【００３０】
左右一対の取付片３３２は、設置板３０の左右一対の側壁３５に一対一に取り付けられる。前後一対の端部カバー３３１は、カバー本体３３０の前後の端部に取り付けられる。
【００３１】
引っ掛け部材３４は、設置板３０の上面に取り付けられる。本実施形態では、設置板３０の上面のうち、前後方向に離れた２箇所のそれぞれに、引っ掛け部材３４が取り付けられている。引っ掛け部材３４の位置は、電源装置３２に対して前後方向にずれた位置である（図１参照）。
【００３２】
図５に示すように、引っ掛け部材３４は、設置板３０に固定されたベース３４１と、ベース３４１に取り付けられたばね部材３４２と、ベース３４１に左右にスライド可能に取り付けられた操作部材３４３とを有する。ばね部材３４２は、コイル部３４２ａと、コイル部３４２ａの一端と連続し、前側に突出したアーム部３４２ｂとを有する。アーム部３４２ｂは、上下に弾性的に変位可能である。
【００３３】
図４及び図５に示すように、操作部材３４３は、ベース３４１に左右方向にスライド移動可能に支持された底片３４３ａと、底片３４３ａの左端部から上方に延長された起立片３４３ｂと、起立片３４３ｂの上端部から左側に延長された挿通片３４３ｃとを有する。操作部材３４３はさらに、挿通片３４３ｃの左端部から右下へ延長された折り返し片３４３ｄを有する。
【００３４】
操作部材３４３は、挿通片３４３ｃまたは折り返し片３４３ｄを把持して、スライド操作可能である。操作部材３４３は、挿通片３４３ｃが設置板３０から左側へ大きく突出した突出位置（図４参照）と、この突出位置よりも右側の固定位置（図２参照）との間で、左右方向に移動可能である。
【００３５】
照明装置３は、図２に示すように、突出位置にある操作部材３４３の挿通片３４３ｃが貫通孔４９に通され、かつ、ばね部材３４２のアーム部３４２ｂが受け材４８に載せられることで（図５参照）、取付部材４に対して、引っ掛かった状態で取り付けられる。この後、操作部材３４３をスライド操作して、突出位置から固定位置へ移動させることで、押さえ片３４３ｄが取付部材４の左の下部側板４６に当たり、照明装置３が取付部材４に対して固定される。
【００３６】
（２−４）端子台
図３に示すように、端子台５は、レースウェイ２内の電線が接続される電線接続部（図示せず）を有する本体部５０と、本体部５０から延長された可撓性の複数のケーブル５１と、複数のケーブル５１の先端部に取り付けられた１つのコネクタ５２とを備える。
【００３７】
端子台５は、レースウェイ２の幅方向において、レースウェイ２よりも外側に位置し、かつ覆い部４２によって覆われるように、取付部材４に取り付けられている。詳しくは、端子台５は、本体部５０が、左側の中間横板４５の下側に取り付けられている。本体部５０は、左側の中間横板４５の幅内に収まる左右長さを有している。本体部５０は、覆い部４２のうち、照明装置３の電源装置３２及び前後一対の引っ掛け部材３４に対して前後方向に重ならない位置に、取り付けられている（図１参照）。
【００３８】
複数のケーブル５１は、本体部５０の前面から前側に延長されている。本体部５０に複数のケーブル５１を介して連結されているコネクタ５２は、移動可能である。
【００３９】
図２に示すように、取付部材４に照明装置３を取り付けた状態では、端子台５の本体部５０は、照明装置３の設置板３０と覆い部４２との間に収まり、端子台５のコネクタ５２は、照明装置３の電源装置３２のコネクタ接続部３２０に接続される。なお、図２では、複数のケーブル５１の図示を省略している。
【００４０】
（３）取付方法
続いて、上述した照明器具１をレースウェイ２に取り付ける方法について説明する。
【００４１】
まず、施工者は、取付部４０がレースウェイ２の真上に位置にするように、取付部材４をレースウェイ２の上に配置した後、取付部材４を下側へ移動させ、取付部４０内にレースウェイ２を挿入する。次いで、施工者は、レースウェイ２内に通されている電線を、端子台５の本体部５０の電線接続部に接続する。
【００４２】
次いで、施工者は、照明装置３を、取付部材４の下側に隣接する箇所に配置し、端子台５のコネクタ５２を、照明装置３の電源装置３２のコネクタ接続部３２０に接続する。次いで、施工者は、突出位置にある操作部材３４３の折り返し片３４３ｄと挿通片３４３ｃを、取付部材４の貫通孔４９に内側（右側）から挿入し、照明装置３のアーム部３４２ｂを、取付部材４の受け材４８に載せる。これにより、照明装置３は、取付部材４に引っ掛けられる。
【００４３】
次いで、施工者は、突出位置にある操作部材３４３を固定位置へと移動させ、操作部材３４３の折り返し片３４３ｄを取付部材４の左の下部側板４６に当てる。これにより、照明装置３は、取付部材４に固定される。
【００４４】
（４）作用効果
以上説明した本実施形態の照明器具１では、取付部材４をレースウェイ２に対して上から被せて取り付けた後、取付部材４に照明装置３を引っ掛けて取り付けることができる。そのため、本実施形態の照明器具１では、従来例のように、ボルトとナットを用いて取付部材４に照明装置３を固定する場合に比べて、施工手間が抑えられ、簡単に取り付けることができる。
【００４５】
また、本実施形態の照明器具１では、レースウェイ２に対して取付部材４を上側から被せて取り付けることができるため、従来例のようにボルトとナットでレースウェイ２に取付部材４を固定する場合に比べて、施工の手間を抑えることができる。また、レースウェイ２内の配線スペースが、ボルトやナットの配置によって狭くなることも防ぐことができる。
【００４６】
ここで、本実施形態の照明器具１では、取付部材４が、レースウェイ２の長さ方向に長尺であるため、レースウェイ２に対して取付部材４を上側から被せるだけでも、取付部材４をレースウェイ２に対して安定的に取り付けることができる。
【００４７】
また、本実施形態の照明器具１では、取付部材４の覆い部４２によって、照明装置３の電源装置３２を覆うことができ、電源装置３２に埃が堆積して不具合が生じることを抑制することができる。
【００４８】
また、本実施形態の照明器具１では、電源装置３２の左右には、一対の側壁３５が位置し、この一対の側壁３５の左右方向の外側には覆い部４２の下部側板４６が位置するため、左右方向から埃が電源装置３２へと至ることも、抑制することができる。
【００４９】
また、本実施形態の照明器具１では、取付部材４は、照明装置３を全長にわたって覆うため、設置板３０上に埃が堆積することを抑制でき、前後方向から埃が電源装置３２へ至ることも抑制することができる。
【００５０】
また、本実施形態の照明器具１では、端子台５が取付部材４に取り付けられているため、レースウェイ２に取付部材４を取り付けた状態で、レースウェイ２内の電線を端子台５に接続することができる。そのため、本実施形態の照明器具１では、照明装置３の取り付けの際には、照明装置３の電源装置３２のコネクタ接続部３２０へ端子台５のコネクタ５２を接続するだけでよく、施工が簡単である。
【００５１】
また、本実施形態の照明器具１では、取付部材４のうち、取付部４０の真下を避けた位置に端子台５と受け材４８が位置するため、レースウェイ２に対して取付部材４の取付部４０を上側から取り付ける際に、端子台５及び受け材４８が邪魔になりにくい。
【００５２】
また、本実施形態の照明器具１では、端子台５が覆い部４２によって覆われているため、端子台５に埃が堆積して不具合が生じることを抑制することができる。
【００５３】
（５）変形例
以上説明した本実施形態の照明器具１の変形例について説明する。
【００５４】
設置板３０は、一対の側壁３５を有さなくてもよく、電源装置３２は、取付部材４の左右の下部側板４６のみで側方から覆ってもよい。この場合、光源カバー３３は、設置板３０の左右の端部に取り付けられるように構成される。
【００５５】
端子台５は、取付部材４ではなく、照明装置３の設置板３０の上側に取り付けられてもよい。また、照明器具１は、端子台５を備えなくてもよく、レースウェイ２内の電線は、照明装置３の電源装置３２に直接接続されてもよい。
【００５６】
光源部３１は、基板に実装された多数の発光ダイオードに限定されず、前後方向に長い導光部材とその長さ方向の端部に対向するように配置された１つまたは２つの発光ダイオードであってもよい。また、光源部３１は、発光ダイオードに限らず、有機ＥＬを有してもよい。
【００５７】
取付部材４に設けられる受け部４１と、照明装置３に設けられる引っ掛け部材３４は、上述した構造に限定されず、受け部４１に対して引っ掛け部材３４が引っ掛かることの可能な構造であれば他の構造であってもよい。
【００５８】
照明装置３は、天井等に直接取り付けた器具本体（ケース）に対して取り付けが可能な汎用型の照明装置に、引っ掛け部材３４を取り付けたものであってもよい。
【００５９】
端子台５と受け材４８は、左右の中間横板４５及び下部側板４６のうちの片側に、まとめて取り付けてもよい。
【００６０】
レースウェイ２は、下面ではなく上面が開口した構造であってもよい。
【００６１】
（６）まとめ
以上説明した一実施形態及びその変形例の照明器具１のように、第一態様の照明器具１は、下記の構成を備える。
【００６２】
すなわち、第一態様の照明器具１は、照明装置３と、レースウェイ２の下側に照明装置３を取り付ける取付部材４と、を備える。照明装置３は、設置板３０と、設置板３０の下側に位置する光源部３１と、設置板３０の上側に位置し、光源部３１に電力を供給する電源装置３２と、を有する。取付部材４は、レースウェイ２に上側から被せて取り付ける取付部４０と、照明装置３を引っ掛けて取り付ける受け部４１と、電源装置３２を覆う覆い部４２とを有する。
【００６３】
上記構成を備えることで、第一態様の照明器具１では、取付部材４の取付部４０をレースウェイ２に対して上側から被せて取り付けた後、受け部４１に照明装置３を引っ掛けることで、照明装置３をレースウェイ２の下側に取り付けることができる。このように第一態様の照明器具１では、レースウェイ２に上側から被せて取り付けた取付部材４に対して、照明装置３を引っ掛けて取り付けることができるため、ボルトとナットで固定する場合と比べて、施工手間を抑えることができて、取り付けがしやすい。また、第一態様の照明器具１では、取付部材４の覆い部４２によって、照明装置３の電源装置３２を覆うことができるため、電源装置３２に埃が堆積して不具合が生じることを抑制することができる。
【００６４】
また、一実施形態及びその変形例の照明器具１のように、第二態様の照明器具１は、第一態様の構成に加えて、下記の構成を備える。
【００６５】
すなわち、第二態様の照明器具１では、取付部４０は、レースウェイ２に上側から被さる天板４３と、レースウェイ２の幅方向の両側に位置する一対の上部側板４４とを有する。覆い部４２は、一対の上部側板４４から前記幅方向の両側に突出している。
【００６６】
上記構成を備えることで、第二態様の照明器具１では、取付部４０をレースウェイ２に上側から被せて取り付けた状態で、少なくとも一方の上部側板４４がレースウェイ２の側面に当たることで、取付部材４のがたつきを抑えることができる。また、第二態様の照明器具１では、取付部４０から受け部４１が幅方向の両側に突出しているため、バランスがよく、この点でも、取付部材４のがたつきを抑えやすい。
【００６７】
また、一実施形態及びその変形例の照明器具１のように、第三態様の照明器具１は、第一または第二態様の構成に加えて、下記の構成を備える。
【００６８】
すなわち、第三態様の照明器具１では、照明装置３は、レースウェイ２の長さ方向に長尺であり、取付部４０と覆い部４２は、照明装置３を全長にわたって覆う。
【００６９】
上記構成を備えることで、第三態様の照明器具１では、取付部材４の取付部４０と覆い部４２によって、照明装置３を全長にわたって覆うことができ、照明装置３の設置板３０に埃が堆積し、電源装置３２へと至ることを抑制することができる。
【００７０】
また、一実施形態及びその変形例の照明器具１のように、第四態様の照明器具１は、第一〜第三態様のいずれかの構成に加えて、下記の構成を備える。
【００７１】
すなわち、第四態様の照明器具１では、設置板３０は、上側に突出する一対の側壁３５を有する。一対の側壁３５の間に、電源装置３２が位置する。一対の側壁３５は、覆い部４２によって覆われる。
【００７２】
上記構成を備えることで、第四態様の照明器具１では、覆い部４２と一対の側壁３５とによって、側方からの埃が電源装置３２へと至ることを抑制することができる。
【００７３】
また、一実施形態及びその変形例の照明器具１のように、第五態様の照明器具１は、第一〜第四態様のいずれかの構成に加えて、下記の構成を備える。
【００７４】
すなわち、第五態様の照明器具１は、レースウェイ２内の電線と電源装置３２とが接続される端子台５をさらに備える。端子台５は、レースウェイ２の幅方向において、レースウェイ２よりも外側に位置し、かつ覆い部４２によって覆われるように、取付部材４に取り付けられている。
【００７５】
上記構成を備えることで、第五態様の照明器具１では、レースウェイ２に取付部材４を取り付けた状態で、端子台５にレースウェイ２内の電線を接続することができる。そのため、第四態様の照明器具１では、照明装置３の取り付けの際には、レースウェイ２内の電線を接続する施工が不要であり、照明装置３を取付部材４に対して簡単に取り付けることができる。また、第五態様の照明器具１では、レースウェイ２よりも外側に位置するように端子台５が取付部材４に取り付けられているため、レースウェイ２に対して取付部材４を真上から被せて取り付ける際に、端子台５が邪魔になりにくい。
【００７６】
また、一実施形態及びその変形例の照明器具１のように、第六態様の照明器具１は、第一〜第五態様のいずれかの構成に加えて、下記の構成を備える。
【００７７】
すなわち、第六態様の照明器具１では、受け部４１は、取付部４０よりも下側に位置する。
【００７８】
上記構成を備えることで、第六態様の照明器具１では、受け部４１を取付部４０と同じ高さに設ける場合に比べて、取付部４０とレースウェイ２との間に形成される幅方向の隙間を小さくすることができる。そのため、第六態様の照明器具１では、レースウェイ２に対する取付部４０のがたつきを抑制することができ、取付部材４の受け部４１に対して照明装置３を取り付けしやすい。
【００７９】
また、一実施形態及びその変形例の取付部材４のように、第一態様の取付部材４は、下記の構成を備える。
【００８０】
すなわち、第一態様の取付部材４は、レースウェイ２の下側に照明装置３を取り付ける取付部材４である。取付部材４は、レースウェイ２に上側から被せて取り付ける取付部４０と、照明装置３を引っ掛けて取り付ける受け部４１と、照明装置３を覆う覆い部４２とを、有する。
【００８１】
上記構成を備えることで、第一態様の取付部材４では、取付部４０をレースウェイ２に対して上側から被せて取り付けた後、受け部４１に照明装置３を引っ掛けることで、照明装置３をレースウェイ２の下側に取り付けることができる。このように第一態様の取付部材４では、レースウェイ２に対して上側から被せた状態で、照明装置３を引っ掛けて取り付けることができるため、ボルトとナットで固定する場合と比べて、施工手間を抑えることができて、取り付けがしやすい。また、第一態様の取付部材４では、覆い部４２によって、照明装置３を覆うことができるため、照明装置３のうち上側に露出する電気機器（電源装置３２）に埃が堆積して不具合が生じることを抑制することができる。
【００８２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８３】
１      照明器具
２      レースウェイ
３      照明装置
３０    設置板
３１    光源部
３２    電源装置
３５    側壁
４      取付部材
４０    取付部
４１    受け部
４２    覆い部
５      端子台
【図１】
2019133776.tif 000003
【図２】
2019133776.tif 000004
【図３】
2019133776.tif 000005
【図４】
2019133776.tif 000006
【図５】
2019133776.tif 000007